(57)【要約】      （修正有）【課題】お店への顧客の来店確率を高めて店での商品の販売促進が可能となるシステムを提供する。【解決手段】折り曲げ可能な紙ずもう力士１と、紙ずもう力士１を用いて紙相撲を行うための土俵と、を有するシステムであって、紙ずもう力士１は、切り抜き可能な切り抜き用輪郭線３を備えた状態で台紙２に含まれており、切り抜き用輪郭線３を用いてぬり絵ができ、台紙２から取り出し背中を山折り可能で、山折りした状態で顔の側面が見えるように背中と顔の側面が台紙２の同じ面に表され、台紙２は宅配便もしくはダイレクトメールを用いて送付可能である。土俵には上面に、紙ヤスリが設けられている。【選択図】図１
0003201010.tif 000002
【実用新案登録請求の範囲】
【請求項１】
折り曲げて紙相撲ができる紙ずもう力士と、
送付を受けた顧客が店に来客した際に前記紙ずもう力士を用いて店にて紙相撲を行うための土俵と、
前記紙相撲の後で顧客が持帰る来店記念品と、を備えた顧客の前記店への来客を案内促進するシステムであって、
前記来店記念品の準備総数は、顧客への前記台紙の送付総枚数と前記店への顧客の来客予想率とから算出される数をもとに準備される、宅配便を用いた集客システム。
【請求項２】
宅配便を用いた集客システムにおいて、前記紙ずもう力士による紙相撲の顧客の勝敗に応じて顧客が持帰る前記前記来店記念品の種類あるいは数が異なる、請求項１に記載のシステム。
【請求項３】
前記土俵には上面に、紙ヤスリが設けられている、請求項１に記載のシステム。
【請求項４】
切り抜き可能な切り抜き用輪郭線を備えた状態で台紙に含まれ、販売促進のための商品の情報と前記店の情報と共に前記台紙により顧客に送付され、折り曲げて使用する紙ずもう力士。
【請求項５】
前記紙ずもう力士は、複数の形状に切り抜きできるように複数の輪郭線を備えた台紙に設けられた、請求項４に記載の紙ずもう力士。
【考案の詳細な説明】
【技術分野】
【０００１】  本考案は、宅配便、折り込みチラシや厚紙チラシ等を用いた集客販売促進システムに関し、紙ずもう力士を顧客宛に宅配便等を用いて送付し、送付を受けた顧客が、紙ずもう力士を持参し、この紙ずもう力士を用いて店にて用意した土俵上で紙相撲のゲームをし、紙相撲後に用意した来店記念品を持帰ることができるようにして、顧客の店への来客を案内促進する集客販売促進システムに関するものである。
【背景技術】
【０００２】  宅配便、あるいはダイレクトメールなどを用いて商品の販売店への集客販売促進を案内、促進する集客販売促進システムは従来から存する（たとえば特許文献１）。このような集客販売促進システムにおいては、来店率を高めるために、詰め放題用の箱や袋を送付し、店への来客時に顧客に販売促進品たとえば栗や菓子等を当該箱や袋に詰め放題に詰めて持帰る集客システムが存在する。
【先行技術文献】
【０００３】
【特許文献１】特許第４６２６８３６号公報
【考案の概要】
【考案が解決しようとする課題】
【０００４】  従来の集客販売促進システムにおいては、店への来客確率が高まり、特に顧客の店における滞在時間が長くなり、店での商品の販売が促進されるという効果があるものの、来店時の面白さや興味など期待感が充分あるとは言えない課題があった。来客数が増加し合わせて滞在時間が増えると、販売額は上昇すると考えられる。【０００５】  本考案は、このような集客販売促進システムにおける店への顧客の来客率を上昇させるという課題を解決し、顧客に興味を与えて集客率を高めることが可能な集客販売促進システムを提供することを目的とする。
【課題を解決するための手段】
【０００６】  上記課題を解決するため、本考案の紙ずもう集客販売促進システムの構造は、折り曲げて紙相撲ができる紙ずもう力士と、送付を受けた顧客が店に来客した際に前記紙ずもう力士を用いて店にて紙相撲を行うための土俵と、前記紙相撲の後で顧客が持帰る来店記念品と、を備えた顧客の前記店への来客を案内促進するシステムであって、前記来店記念品の準備総数は、顧客への前記台紙の送付総枚数と前記店への顧客の来客予想率とから算出される数をもとに準備される、システムの構造である。【０００７】  さらに宅配便を用いた集客システムにおいて、前記紙ずもう力士による紙相撲の顧客の勝敗に応じて顧客が持帰る前記前記来店記念品の種類あるいは数が異なる、システムであってもよい。さらには、前記紙ずもう力士は、形状によって紙相撲の勝敗確率が異なるように設計されたものであってもよく、前記前記折り曲げて紙相撲ができる紙ずもう力士は、切り抜き可能な切り抜き線を輪郭に備えた状態で台紙に含まれ、前記台紙は、販売促進のための商品の情報と前記店の情報と共に顧客に送付される、システム構造でもよい。【０００８】    上記課題を解決するため、本考案の紙ずもう力士は、宅配便や折り込みチラシ、厚紙チラシ等を用いた集客販売促進システムに使用されるように、切り抜き可能な切り抜き線を輪郭に備えた状態で台紙に含まれ、販売促進のための商品の情報と前記店の情報と共に前記台紙により顧客に送付され、顧客が紙ずもうを台紙から切り抜き取り出して適宜折り曲げて使用する構造を備える。なお、上記台紙は、販売促進のための商品の情報と前記店の情報と共に顧客に送付され、あるいは折り込みチラシとして配布される。本システム構造では、宅配便の送り先がさらに台紙に印刷もしくは貼付可能で、店の案内情報も、台紙や折り込みチラシ等に印刷あるいは貼付、もしくは添付されてもよい。紙ずもう力士は、複数の形状に切り抜きできるように複数の輪郭線を備え、台紙や折り込みチラシ、や厚紙チラシに設けられた、紙ずもう力士であってもよい。
【考案の効果】
【０００９】  本考案によれば、紙ずもう力士を、店が来客を見込む顧客宛に宅配便等を用いて送付し、紙ずもう力士の送付を受けた顧客が店へ来客した際、持参した紙ずもう力士を用いて店が用意した紙相撲用の土俵上で、店側が用意した、あるいは別の顧客が持参した紙ずもう力士と対戦し勝敗を競い、顧客は紙相撲の後、所定の来店記念品を持ち帰ることができるようにしているので、単に来店記念品を持ち帰る等の場合に比べて紙相撲の面白さで興味が増し来店率が向上し、また滞在時間を長く保つことが出来るので商品の販売促進が可能となる。
【図面の簡単な説明】
【００１０】
【図１】本考案の実施例における宅配便を用いて送付する紙ずもう力士を含む台紙の平面図である。
【図２】本考案の実施例における紙相撲用の土俵の斜視図である。
【考案を実施するための形態】
【実施例】
【００１１】  本考案の実施例を図１により説明する。図１は本実施例における宅配便等を用いて顧客に送付する紙ずもう力士を含む台紙の平面図である。本考案の実施例における紙ずもう力士１は、宅配便を用いた集客販売促進システムに使用できるように、切り抜き可能な切り抜き線（ミシン目状１ｍ）で切断されているか、あるいは切抜きされて複数箇所で台紙２に接続している（図示ぜず）輪郭線３を備えている。このためた紙ずもう力士１は、輪郭線３に添ってミシン目状１ｍの切断に添って台紙２から切り取ることができる。その輪郭線３に添って台紙２からから切り抜かれた紙ずもう力士１は、中央に設けた折り曲げ線４に添って適宜山折され足を下に立たせることができる。【００１２】  紙ずもう力士１は、その形状によって紙相撲の勝敗確率が異なる場合もありさまざまに設計されたものであってよく、顔も各種キャラクターを用いてよい。紙ずもう力士１は輪郭線３の形状に添って台紙２から切り離されるので、顧客は予め設計された力士の形をそのままお店に持参できる。また、紙ずもう力士１は、図１に示すように適宜ぬり絵ができるので、子どもも楽しむことができる。紙ずもう力士１による紙相撲の顧客の勝敗に応じて顧客が持帰る来店記念品が店に用意されている。顧客の紙相撲の勝敗に応じて来店記念品の種類あるいは数が異なるようにしても良い。【００１３】  紙ずもう力士１は、形状によって紙相撲の勝敗確率が異なることが予想され、顧客自身で形状に変更可能な自由度を持たせると、さらに顧客の興味が倍加することが考えられる。折り曲げて紙相撲ができる紙ずもう力士１は、切り抜き可能な切り抜き線を輪郭線３として備えた状態で台紙２に含まれているが、上記のように輪郭の自由度を持たせて複数の輪郭線３が台紙２に形成されていても良い。切り取り輪郭線３は、台紙２の販売促進のための商品の情報と前記店の情報に影響のない所に設けられている。【００１４】  台紙２には、販売促進のための商品の情報（住宅や、呉服、洋服、宝石、乗用車等）に関する売り出しの展示会等の案内や、展示会を行う店、販売店の案内情報（開催日時、場所、地図等）が直接印刷されていても良いし、あるいはこれらの情報は別の案内状に印刷され台紙２と共に、顧客に送付されあるいは折り込みチラシとして配布される。集客システムにおいては、宅配便やダイレクトメールの送り先も、台紙２に印刷され、あるいは巻き紙案内状（図示せず）が台紙２に巻かれて、宅配便やダイレクトメールで顧客に送付されあるいは折り込みチラシとして配布される。【００１５】  本考案の実施例における宅配便等を用いた集客販売促進システムの構造では、送付を受けた顧客が店に紙ずもう力士１を持参して来客し、その際持参した紙ずもう力士１を用いて店が用意した紙相撲用の土俵Ｄ上で、紙相撲を行う。対戦相手は、店の用意した紙ずもう力士であっても、あるいは別の顧客が持参した紙ずもう力士と対戦し勝敗を競うことができる。顧客は紙相撲の後、勝敗に応じて所定の来店記念品を持ち帰る。店においては、紙ずもう力士１を用いて店にて紙相撲を行うための土俵Ｄが備えられ、紙相撲の後で顧客が持帰る来店記念品（図示せず）が用意される。土俵Ｄには上面に紙ヤスリ５が設け��れており、土俵Ｄの土俵面の摩擦を増やすことで紙ずもう力士１の動きが適宜コントロールされ調整される。【００１６】  台紙２には、図１に示すように店であらかじめ用意した土俵Ｄで紙相撲ができる旨の説明が印刷されている。顧客は紙相撲の後、勝敗に応じて所定の来店記念品を持ち帰る。所定の持ち帰り来店記念品（本実施例では、キッチン用品、お掃除用品等）を店（常設店あるいは特別会場もここでは店とする）が用意している。所定の持ち帰り来店記念品としては、本実施例では、勝栗や力士飴としているが、キッチン用品、お掃除用品等、装飾品、化粧品、たまねぎなどの野菜、焼き栗、あるいはみかんなどの果物等を適宜選択し、店で用意する。準備総数は、台紙２の送付総枚数と前記店への顧客の来客予想率とから算出される数をもとに準備される。【００１７】  紙ずもう力士１を用いたこのような宅配便や折り込みチラシを用いた集客販売促進システムでは、顧客は、紙相撲の興味から台紙２からの紙ずもう力士１を切り抜き、自分の切り抜いたものを持参して来客するので、顧客の店への来客を案内促進が図れることとなり、店での商品の販売促進となる。
【産業上の利用可能性】
【００１８】  本考案は、従来の課題であった集客と販売促進の効果的なシステムであり、住宅販売、車、宝石、着物などの高額商品を対象にする場合に効果的に使用可能である。
【符号の説明】
【００１９】１  紙ずもう力士、
２  台紙、
３  輪郭線、
４  折り曲げ線、
５  紙ヤスリ、
Ｄ  土俵。
【図１】
0003201010.tif 000003
【図２】
0003201010.tif 000004
【手続補正書】
【提出日】平成27年8月20日(2015.8.20)
【手続補正１】
【補正対象書類名】実用新案登録請求の範囲
【補正対象項目名】全文
【補正方法】変更
【補正の内容】
【実用新案登録請求の範囲】
【請求項１】
折り曲げ可能な紙ずもう力士と、
前記紙ずもう力士を用いて紙相撲を行うための土俵と、
を有するシステムであって、
前記紙ずもう力士は、切り抜き可能な切り抜き用輪郭線を備えた状態で台紙に含まれており、前記切り抜き用輪郭線を用いてぬり絵ができ、前記台紙から取り出し背中を山折り可能で、山折りした状態で顔の側面が見えるように背中と顔の側面が台紙の同じ面に表され、前記台紙は宅配便もしくはダイレクトメールを用いて送付可能である、システム。
【請求項２】
前記土俵には上面に、紙ヤスリが設けられている、請求項１に記載のシステム。